(57)【要約】【課題】キッチンユニットの照明に際して、キッチンユニットでの配設スペースを占める割合が小さく、また経済的な電球形蛍光灯を使用し、ことに電球形蛍光灯の取付方向を横向きにすることにより、電球形蛍光灯の照明領域をあたかも直管形蛍光灯のように広域の照明領域にすることができるキッチンユニット用の照明ソケットを提供する。【解決手段】電球形蛍光灯を装着する電球ソケットを横向きに貫通させる横貫孔を、上面と一側面を開放した箱形状の他側面に有し、該他側面には前記電球ソケットを固定して保持するソケット保持部を有し、前記両側面間をつなぐ両端面には、前記キッチンユニットの前板の内側に連結するための前板連結部を有するソケット保持ケースを設け、該ソケット保持ケースの開放された一側面を蓋体で閉鎖する。【選択図】図１
2008097950.tif 000002
【特許請求の範囲】
【請求項１】
流し台や調理台を備えて自立するキッチンユニットの天板より垂設されて前面を覆う前板の内側に、電球形蛍光灯を保持して取付けるキッチンユニット用照明ソケットであって、
前記電球形蛍光灯の口金を螺着して接続する電球接続口を筒状体の一側に有し、該筒状体の他側に、外部の電源と電気的に接続する端子部と、該筒状体の他側が固定保持される固定部とを有する電球ソケットを設け、
前記電球ソケットを横向きに貫通させる横貫孔を、上面と一側面を開放した箱形状の他側面に有し、該他側面には前記電球ソケットの固定部を固定して保持するソケット保持部を有し、前記両側面間をつなぐ両端面には、前記キッチンユニットの前板の内側に連結するための前板連結部を有するソケット保持ケースを設け、
前記ソケット保持ケースの開放された一側面に、該一側面を閉鎖する蓋体を取付けてなる
キッチンユニット用照明ソケット。
【請求項２】
前記固定部は、前記電球ソケットの筒状体の他側端部に鍔部を延設し、該鍔部にビスを介して該電球ソケットが前記ソケット保持ケースに固定されるビス止め孔を開口して設けた
請求項１に記載のキッチンユニット用照明ソケット。
【請求項３】
前記ソケット保持部は、ビスを通して前記電球ソケットを固定するためのソケット保持ケース側のビス止め孔を、前記電球ソケット側のビス止め孔と対応する位置に開口して設けた
請求項１または２に記載のキッチンユニット用照明ソケット。
【請求項４】
前記前板連結部は、前記両端面の端面方向に延設した延設部位に、前記前板の内側にビス止めして連結するビス止め部を設けた
請求項１、２または３に記載のキッチンユニット用照明ソケット。
【請求項５】
流し台や調理台を備えて自立するキッチンユニットの天板より垂設されて前面を覆う前板の内側に、電球形蛍光灯を保持して取付けるキッチンユニット用照明ソケットであって、
前記電球形蛍光灯の口金を螺着して接続する電球接続口をＬ型筒状体の一側に有し、該Ｌ型筒状体の他側に外部の電源と電気的に接続する端子部と、該Ｌ型筒状体を横倒し状態にしてキッチンユニットの前板の内側にビス止めするビス止め孔を有する鍔部とを一体的に形成してなる
キッチンユニット用照明ソケット。
【発明の詳細な説明】
【技術分野】
【０００１】
この発明は、ワンルームマンション、アパート等の台所にコンパクトに設置して使用されるキッチンユニットの上部に取付けられるキッチンユニット用の照明ソケットに関する。
【背景技術】
【０００２】
近年、この種のキッチンユニットは、コンパクトに構成されることから該キッチンユニットの利用機能が集約されて構成されている。例えば、左右のパネル間に照明装置や収納棚及び換気扇等を配した上部ユニットと、流し台や調理台及び収納部等を配した下部ユニットとから箱型の自立した一体型のキッチンユニットが設けられている。
【０００３】
ところで、このようなキッチンユニットの照明装置としては、該キッチンユニットの天板に直管形蛍光灯を取付け、この直管形蛍光灯から下方の流し台や調理台を照明するようにしたキッチン照明装置が知られている(例えば特許文献１参照)。
【０００４】
ところが、このキッチン照明装置はキッチンユニット上部での配設スペースを占める割合が比較的大きく、またキッチン照明装置の低コスト化に際しても限界が生じていた。それゆえ、配設スペースの縮小化や十分な照明機能及び低コスト化を達成できることが望まれるが、現状では満足できる照明装置が得られていないのが実情である。
【０００５】
【特許文献１】特開２００５−６３８００号
【発明の開示】
【発明が解決しようとする課題】
【０００６】
そこでこの発明は、キッチンユニットの照明に際して、小さく経済的な電球形蛍光灯を使用し、ことに電球形蛍光灯の取付方向を横向きにすることにより、電球形蛍光灯の照明領域をあたかも直管形蛍光灯のように広域の照明領域にすることができるキッチンユニット用の照明ソケットを提供することを目的とする。
【課題を解決するための手段】
【０００７】
この発明は、流し台や調理台を備えて自立するキッチンユニットの天板より垂設されて前面を覆う前板の内側に電球形蛍光灯を保持して取付けられるキッチンユニット用照明ソケットであって、前記電球形蛍光灯の口金を螺着して接続する電球接続口を筒状体の一側に有し、該筒状体の他側に、外部と電気的に接続する端子部と、該筒状体の他側が固定保持される固定部とを有する電球ソケットを設け、前記電球ソケットを横向きに貫通させる横貫孔を、上面と一側面を開放した箱形状の他側面に有し、該他側面には前記電球ソケットの固定部を固定して保持するソケット保持部を有し、前記両側面間をつなぐ両端面には、前記キッチンユニットの前板の内側に連結するための前板連結部を有するソケット保持ケースを設け、前記ソケット保持ケースの開放された一側面に、該一側面を閉鎖する蓋体を取付けてなるキッチンユニット用照明ソケットであることを特徴とする。
【０００８】
この発明の態様として、前記固定部は、前記電球ソケットの筒状体の他側端部に鍔部を延設し、該鍔部にビスを介して該電球ソケットが前記ソケット保持ケースに固定されるビス止め孔を開口して構成することができる。
【０００９】
この発明の態様として、前記ソケット保持部は、ビスを通して前記電球ソケットを固定するためのソケット保持ケース側のビス止め孔を、前記電球ソケット側のビス止め孔と対応する位置に開口して構成することができる。
【００１０】
この発明の態様として、前記前板連結部は、前記両端面の端面方向に延設した延設部位に、前記前板の内側にビス止めして連結するビス止め部を設けることによって構成することができる。
【００１１】
この発明の態様として、流し台や調理台を備えて自立するキッチンユニットの天板より垂設されて前面を覆う前板の内側に、電球形蛍光灯を保持して取付けるキッチンユニット用照明ソケットであって、前記電球形蛍光灯の口金を螺着して接続する電球接続口をＬ型筒状体の一側に有し、該Ｌ型筒状体の他側に外部の電源と電気的に接続する端子部と、該Ｌ型筒状体を横倒し状態にしてキッチンユニットの前板の内側にビス止めするビス止め孔を有する鍔部とを一体的に形成してなることを特徴とする。
【発明の効果】
【００１２】
この発明のキッチンユニット用照明ソケットを用いれば、小さい電球形蛍光灯を保持すればよいためコンパクトに構成でき、配設スペースの制約を受けるキッチンユニットの上部に十分に小さくして配設することができる。また、この電球形蛍光灯を横向きに配置して照明することにより、縦型に配置される電球形蛍光灯に比べて広域で十分な光量が得られる照明機能が得られ、同等な照明力が得られる直管形蛍光灯に比べて経済的となる。
【実施例１】
【００１３】
この発明の一実施例を以下図面に基づいて説明する。  
図面はキッチンユニット用照明ソケットを示し、図１はこのキッチンユニット用照明ソケットのソケット保持ケースを示す外観斜視図、図２はソケット保持ケースの分解斜視図、図３はキッチンユニット用照明ソケットと電球形蛍光灯との配置関係を示す分解斜視図である。
【００１４】
このキッチンユニット用照明ソケットは、電球形蛍光灯１１を装着した電球ソケット１２を横向きに保持するソケット保持ケース１３に蓋体１４を取付けて構成される。
【００１５】
前記ソケット保持ケース１３は、箱形の上下面１３ａ，１３ｂ及び前後面１３ｃ，１３ｄを幅狭の長方形に設け、両側面１３ｅ，１３ｆを正方形に設け、この箱形の上面１３ａは電源への配線接続用に開放して設け、一側面（図中左側面）１３ｅは電球ソケット１２の取付け用に開放して設けている。また、この開放された正方形の一側面１３ｅに対しては蓋体１４（後述）によって閉鎖される。
【００１６】
前記他側面（図中右側面）１３ｆは、中央部に前記電球ソケット１２を横向きに貫通させる円形の横貫孔１５を有し、該横貫孔１５の内周面の１８０度異なる対向位置には電球ソケット位置決め用の扇形嵌合凹部１６を形成している。さらに、他側面１３ｆの内面側には横貫孔１５を中心とする上下左右の位置に電球ソケット位置決め用の小さな位置決め突起１７を突設している。また、横貫孔１５を中心とする１８０度異なる他側面１３ｆの対向位置には電球ソケット連結用のビス止め孔１８を開口している。
【００１７】
前記前面１３ｃには、縦長の長方形の対角位置の上下隅部より該前面１３ｃに沿って左右方向に延びる対となる前板連結部１９を突設している。また、後面１３ｄも同様にして対となる前板連結部１９を突設している。このうち、前面１３ｃまたは後面１３ｄがキッチンユニット（図５参照）の取付け壁となる前板２５（図４参照）に平面対応された状態に連結されるものである。
【００１８】
これらの前板連結部１９は、左右方向に延設している各延設部位に前後方向に貫通させたビス止め孔２０を開口しており、これらのビス止め孔２０に前板連結用のビス２１を通してソケット保持ケース１３をキッチンユニットの前板２５の内面側にビス止めして連結する。この場合、前板連結部１９は前後面１３ｃ，１３ｄにそれぞれ形成しておくことにより、前後面１３ｃ，１３ｄの何れか一方を取付け面に選択でき、この選択機能を持たせることによって、前板２５と平行して横向きに配設される電球形蛍光灯１１を左向きか、右向きかに選択して取付けることができる。
【００１９】
前記ソケット保持ケース１３の開放された一側面１３ｅの両側には平板状の蓋体１４を上方から差し込んで取付けるためのＬ形状の蓋体係止部２２を有している。これらの両側の蓋体係止部２２に蓋体１４の両角部がそれぞれ係止されてソケット保持ケース１３に一体に取付けられる。また、蓋体１４の内面には、前記電球ソケット連結用のビス止め孔１８と対応する各対応位置にビス止め軸２３を突設しており、これらのビス止め軸２３がソケット保持ケース１３の他側面１３ｆ側よりねじ込まれた連結用のビス２４に螺着されることにより、該蓋体１４はソケット保持ケース１３に一体に連結される。
【００２０】
前記電球ソケット１２は、電球形蛍光灯１１を接続して発光させる市販の電球ソケットで代用することができる。例えば、図３に示すように、前記ソケット保持ケース１３の横貫孔１５に挿通される大きさの筒状体を有し、この筒状体の一側に電球形蛍光灯１１の口金１１ａを螺着して接続する電球接続口２６を有し、該筒状体の他側に、外部の電源と電気的に接続する端子部（図外）と、該筒状体の他側が固定保持される固定保持部２７とを有している。
【００２１】
この固定保持部２７は、前記電球ソケット１２の筒状体の他側端部に円形の鍔部２８を延設し、該鍔部２８に前記電球ソケット連結用のビス止め孔１８とビス止め軸２３とに対応して前記連結用のビス２４を介して前記ソケット保持ケース１３に固定されるビス止め孔２９を開口している。さらに、電球ソケット位置決め用の扇形嵌合凹部１６と対応する筒状体の外周面には、扇形嵌合凸部３０を突設して該電球ソケット１２の筒状体の周方向が位置決めされる。また、電球ソケット位置決め用の位置決め突起１７と対応する鍔部２８には、位置決め凹部３１をそれぞれ切欠いて設け、電球ソケット１２とソケット保持ケース１３との連結時には該電球ソケット１２の周方向がソケット保持ケース１３に位置決めされて連結される。
【００２２】
次に、ソケット保持ケース１３に電球ソケット１２を連結して組立てる場合は、該ソケット保持ケース１３の開放されている一側面１３ｅから電球ソケット１２の筒状体を横貫孔１５に横貫させる。このとき、ソケット保持ケース１３の扇形嵌合凹部１６に、電球ソケット１２の扇形嵌合凸部３０を嵌合させて所定の取付位置に位置決めさせ、さらにソケット保持ケース１３の位置決め突起１７に電球ソケット１２の位置決め凹部３１を嵌合させて位置決めさせる。
【００２３】
この位置決めされた仮止め状態で一側面１３ｅの蓋体係止部２２に蓋体１４を上方開放部から差込んで仮止めし、その後、電球ソケット１２及び蓋体１４をソケット保持ケース１３に連結するために、電球ソケット連結用のビス止め孔１８の外面（他側面１３ｆ）側より連結用のビス２４をねじ込み、該ビス２４を続いて電球ソケット１２のビス止め孔２９を通して蓋体１４のビス止め軸２３に螺着させることにより、ソケット保持ケース１３に電球ソケット１２と蓋体１４とが一体に連結される。
【００２４】
このようにして一体化されたキッチンユニット用照明ソケットをキッチンユニットに取付ける場合は、例えば図４に示すように、ソケット保持ケース１３の前面１３ｃを前板２５の内面側に当てがった状態で前板連結用のビス２１を各前板連結部１９のビス止め孔２０よりそれぞれねじ込んで前板２５に螺着固定すれば、該キッチンユニット用照明ソケットを前板２５に一体に取付けることができる。
【００２５】
図４はキッチンユニット用照明ソケットの使用状態を示す要部拡大斜視図、図５はキッチンユニットでの使用状態を示す斜視図である。このキッチンユニット用照明ソケットを取付けるキッチンユニット３２は、流し台３３や調理台３４を備えて自立しており、このキッチンユニット３２の天板より垂設されて前面を覆う前板２５の内側にキッチンユニット用照明ソケットが取付けられている。この場合、電球形蛍光灯１１は電球ソケット１２を介してソケット保持ケース１３に横向きに保持された状態で取付けられる。
【００２６】
よって、このキッチンユニット用照明ソケットを用いれば、照明に際して、電球形蛍光灯１１の取付方向が横向きであるため、電球形蛍光灯１１の照明領域があたかも直管形蛍光灯のように広域の照明領域となり、下方の照明される流し台３３や調理台３４を十分に明るく照明することができる。また、小さな電球形蛍光灯１１を保持する構成であるため、小さな配設スペースでコンパクトに配置構成でき、また直管形蛍光灯に比べて経済的に構成できる。
【実施例２】
【００２７】
図６(Ａ)は一体型キッチンユニット用照明ソケットの斜視図、図６(Ｂ)は一体型キッチンユニット用照明ソケットの要部断面図である。この一体型キッチンユニット用照明ソケット６１は、実施例１で述べた電球ソケット１２とソケット保持ケース１３との双方を同一部品上に有する単品として構成したものである。
【００２８】
この一体型キッチンユニット用照明ソケット６１は、Ｌ型筒状体６２の一側に電球形蛍光灯の口金を螺着して接続する電球接続口６３を有し、該Ｌ型筒状体６２の他側上面に外部の電源と電気的に接続する端子部６４を有し、該Ｌ型筒状体６２の他側に、該Ｌ型筒状体６２を横倒し状態にしてキッチンユニットの前板の内側にビス止めして連結するためのビス止め孔６５を有する鍔部６６とを一体に形成している。なお、電球接続口６３の内方には電球形蛍光灯の口金及び端子部６４と電気的に接続する電極部６７が備えられている。
【００２９】
このような、一体型キッチンユニット用照明ソケット６１を用いれば、単品であるため取扱いが容易になり、取付作業性が向上し、さらに部品点数が少ないので一層経済的となる。この場合も、小さな電球形蛍光灯を保持する構成であるためキッチンユニットの上部にコンパクトに配置構成できる。
【００３０】
この発明と、上述の実施例の構成との対応において、
この発明の固定部は、実施例の電球ソケットのビス止め孔２９に対応し、
以下同様に、
ソケット保持部は、電球ソケット連結用のビス止め孔１８に対応するも、この発明は請求項に示される技術思想に基づいて応用することができ、上述の実施例の構成のみに限定されるものではない。
【図面の簡単な説明】
【００３１】
【図１】実施例１のキッチンユニット用照明ソケットのソケット保持ケースを示す外観斜視図。
【図２】実施例１のソケット保持ケースの分解斜視図。
【図３】実施例１のキッチンユニット用照明ソケットと電球形蛍光灯との配置関係を示す分解斜視図。
【図４】実施例１のキッチンユニット用照明ソケットの使用状態を示す要部拡大斜視図。
【図５】実施例１のキッチンユニットでの使用状態を示す斜視図。
【図６】(Ａ)は実施例２の一体型キッチンユニット用照明ソケットの斜視図、(Ｂ)は実施例２の一体型キッチンユニット用照明ソケットの要部断面図。
【符号の説明】
【００３２】
１１…電球形蛍光灯
１２…電球ソケット
１３…ソケット保持ケース
１４…蓋体
１５…横貫孔
１８，２９，６５…ビス止め孔
１９…前板連結部
６１…一体型キッチンユニット用照明ソケット
６２…Ｌ型筒状体
６６…鍔部
【図１】
2008097950.tif 000003
【図２】
2008097950.tif 000004
【図３】
2008097950.tif 000005
【図４】
2008097950.tif 000006
【図５】
2008097950.tif 000007
【図６】
2008097950.tif 000008